(57)【特許請求の範囲】
【請求項１】
所定のケーシングの内部に配置された第１の回転部材によって前記ケーシングの内部に貯留している流体を掻き上げることにより、その流体を所定の箇所に供給するように構成された潤滑装置において、
前記ケーシングの内部に、前記第１の回転部材の回転数が低い場合に高い回転数になる第２の回転部材と、前記第１の回転部材によって掻き上げられた前記流体が供給されるとともに一時的に貯留しかつ前記第２の回転部材の回転数が高い場合にその第２の回転部材から飛散した流体が供給されるとともに一時的に貯留するキャッチタンクとが設けられており、
前記第２の回転部材は、ステータと、そのステータの内周側に回転自在に保持されたロータとを備えたモータを含み、
そのモータは、前記ロータに対してオイルポンプから前記流体が供給されるとともに前記ステータの外周側に前記キャッチタンクに貯留された前記流体が供給されるように構成されており、かつ、
前記ロータの軸線方向での両端部のそれぞれに、前記ロータに供給された前記流体を、前記ロータの回転に伴って生じる遠心力によって前記ロータの半径方向で内周側から外周側に向けて流動させる溝が形成されたエンドプレートが設けられており、
それらのエンドプレートを含む前記ロータの軸線方向における長さが前記ステータの軸線方向における長さよりも長くなっており、
前記ステータの外周面に、前記キャッチタンクから供給される前記流体を前記ロータの軸線方向で前記キャッチタンクとは反対側の端部側に向けて流動させる油路が形成されており、
前記ロータの回転数が高い場合に、前記ロータの軸線方向で前記キャッチタンク側に設けられた前記エンドプレートにおける前記溝の外周側の端部から飛散した流体が前記キャッチタンク内に流入するように構成されている
ことを特徴とする潤滑装置。
【発明の詳細な説明】
【技術分野】
【０００１】
この発明は、潤滑油やロングライフクーラントなどの流体によって潤滑必要箇所を潤滑あるいは冷却する装置に関するものである。
【背景技術】
【０００２】
車両の変速機などの動力伝達機構は、それらに円滑な動作をおこなわせるため、また、摩耗や発熱を抑制するため、潤滑油による潤滑や冷却をおこなうのが通常である。その潤滑油の供給方法の一例として、ケーシングの底部に貯留された潤滑油を回転部材で掻き上げて被潤滑部に供給する掻き上げ潤滑方式が知られている。この掻き上げ潤滑方式では、回転部材が掻き上げた潤滑油の少なくとも一部を受け入れて一時的に貯留することにより、ケーシング底部に貯留される潤滑油の油面高さを調整したり、その受け入れた潤滑油を潤滑必要箇所に供給したりするキャッチタンクを備えたものが知られている。その一例が特許文献１に記載されている。その特許文献１には、デフリングギアにより潤滑油を掻き上げてキャッチタンクに供給し、そのキャッチタンクから潤滑必要箇所に、具体的にはモータに供給するように構成された装置が記載されている。
【０００３】
また、特許文献２には、ロータとステータとオイルを貯留するオイル貯留部とロータの回転により掻き上げられたオイルを受けて、そのオイルを潤滑必要箇所に供給するオイル受け部とステータの一端に掻き上げたオイルをオイル受け部に導くオイルガイドとを備えた装置が記載されている。また、ロータの幅をドライブユニットの駆動力の仕様上必要とされる幅よりも広くすることにより、ロータの回転による掻き上げ量を多くすることが記載されている。
【先行技術文献】
【特許文献】
【０００４】
【特許文献１】特開２００７−１５９３１４号公報
【特許文献２】特開２００９−２３６１２６号公報
【発明の概要】
【発明が解決しようとする課題】
【０００５】
上述した特許文献１に記載されている装置は、デフリングギアの回転によって潤滑油を掻き上げるように構成されている。したがって、車両の速度が、例えばある程度の低車速域にある場合には、言い換えれば、デフリングギアがある程度低回転数の場合には、キャッチタンクに十分に潤滑油が供給されず、オイル貯留部における油面高さが上昇し、これが原因となって撹拌抵抗や動力損失が増大する虞がある。また、キャッチタンクに十分に潤滑油が供給されないので、例えばキャッチタンクからモータに潤滑油を供給するように構成されている場合には、そのモータの冷却が不十分になる虞がある。
【０００６】
また、特許文献２に記載されている装置は、オイル貯留部に貯留されたオイルをロータの回転によって掻き上げ、その掻き上げたオイルをオイルガイドによってオイル受け部に導き、オイル受け部から潤滑必要箇所に供給するように構成されている。この特許文献２に記載された技術は、オイルを掻き上げるロータによるオイルの掻き上げ量を確保するための技術である。また、ロータによるオイルの掻き上げ量を増大させるために、ロータの幅を仕様上必要とされる幅より広くしたとしても、その掻き上げたオイルをステータの軸線方向における端部やオイルガイドに当接させる必要があり、したがって、その幅は掻き上げたオイルがステータの軸線方向における端部やオイルガイドに当接できる幅に留まる可能性がある。
【０００７】
この発明は、上記の技術的課題に着目してなされたものであり、流体を掻き上げてキャッチタンクに供給する第１の回転部材が低回転数でキャッチタンクに十分な量の流体を供給できない場合に、高回転数にされる第２の回転部材によってキャッチタンクに流体を供給することのできる潤滑装置を提供することを目的とするものである。
【課題を解決するための手段】
【０００８】
上記の目的を達成するために、請求項１の発明は、所定のケーシングの内部に配置された第１の回転部材によって前記ケーシングの内部に貯留している流体を掻き上げることにより、その流体を所定の箇所に供給するように構成された潤滑装置において、前記ケーシングの内部に、前記第１の回転部材の回転数が低い場合に高い回転数になる第２の回転部材と、前記第１の回転部材によって掻き上げられた前記流体が供給されるとともに一時的に貯留しかつ前記第２の回転部材の回転数が高い場合にその第２の回転部材から飛散した流体が供給されるとともに一時的に貯留するキャッチタンクとが設けられており、前記第２の回転部材は、ステータと、そのステータの内周側に回転自在に保持されたロータとを備えたモータを含み、そのモータは、前記ロータに対してオイルポンプから前記流体が供給されるとともに前記ステータの外周側に前記キャッチタンクに貯留された前記流体が供給されるように構成されており、かつ、前記ロータの軸線方向での両端部のそれぞれに、前記ロータに供給された前記流体を、前記ロータの回転に伴って生じる遠心力によって前記ロータの半径方向で内周側から外周側に向けて流動させる溝が形成されたエンドプレートが設けられており、それらのエンドプレートを含む前記ロータの軸線方向における長さが前記ステータの軸線方向における長さよりも長くなっており、前記ステータの外周面に、前記キャッチタンクから供給される前記流体を前記ロータの軸線方向で前記キャッチタンクとは反対側の端部側に向けて流動させる油路が形成されており、前記ロータの回転数が高い場合に、前記ロータの軸線方向で前記キャッチタンク側に設けられた前記エンドプレートにおける前記溝の外周側の端部から飛散した流体が前記キャッチタンク内に流入するように構成されていることを特徴とするものである。
【発明の効果】
【００１２】
請求項１の発明によれば、第１の回転部材が低回転数の場合に高回転数になる第２の回転部材から飛散した流体がキャッチタンクに流入させられる。すなわち、第１の回転部材が低回転数で、いわゆる掻き上げ量が少なく液面高さが上昇する場合に、第２の回転部材からキャッチタンクに流体が供給される。その結果、第１の回転部材が低回転数の場合における流体の液面高さの上昇を抑制でき、言い換えれば、第１の回転部材を浸漬する流体の液面高さを減少させて第１の回転部材の撹拌損失や動力損失が増大することを抑制もしくは低減することができる。また、第２の回転部材からキャッチタンクに流体を供給できるので、第１の回転部材が低回転数の場合であっても、流体を必要箇所に供給して潤滑や冷却をおこなうことができる。
【００１３】
請求項２の発明によれば、請求項１の発明による効果と同様の効果に加えて、第１の回転部材が低回転数でロータの回転数が高回転数になる場合に、ロータの軸線方向に設けられた流体供給手段によって、流体がキャッチタンクに供給される。すなわち、流体供給手段によってキャッチタンクに流体を供給するので、ロータから飛散した流体がステータの端部に衝突することを回避もしくは抑制することができる。したがって、ロータによる流体のいわゆる掻き上げ効率や掻き上げ性能を向上させることができる。そして、キャッチタンクに導入される液量を確保することができる。
【００１４】
請求項３の発明によれば、請求項２の発明による効果と同様の効果に加えて、モータの軸線方向における一方の端部側から、モータに流体が供給され、他方の端部側から飛散した流体がキャッチタンクに供給される。すなわち、モータへの流体の供給経路と、モータからキャッチタンクへ向けて飛散する流体の経路とが異なるようになっている。したがって、モータに供給される流体の流動とモータからの流体の流動もしくは飛散とが対向することを回避もしくは抑制することができる。その結果、キャッチタンクに貯留される流体の量が増大させることができる。言い換えれば、ロータの回転による流体のいわゆる掻き上げ性能を向上させることができる。
【００１５】
請求項４の発明によれば、請求項２または３の発明による効果と同様の効果に加えて、ロータの軸線方向での両端部にエンドプレートがそれぞれ設けられて、その軸線方向における長さがステータのコールエンドを含む軸線方向における長さよりも長くなる。したがって、ロータの回転によってその半径方向外側に流出もしくは飛散した流体がステータの端部に衝突することを回避もしくは抑制することができる。すなわち、ロータからの流体の流出もしくは飛散が、ステータの端部によって阻害されない。したがって、いわゆる掻き上げ効率や掻き上げ性能を向上させることができる。そして、キャッチタンクに導入される液量を確保することができる。
【図面の簡単な説明】
【００１６】
【図１】この発明に係る潤滑装置の一例を模式的に示す図である。
【図２】この発明に係る潤滑装置の他の例を模式的に示す図である。
【図３】この発明に係る潤滑装置の更に他の例を模式的に示す図である。
【図４】ツーモータ式のハイブリッド装置を搭載した車両のハイブリッドトランスアクスルを模式的に示す図である。
【図５】シングルピニオン型の遊星歯車機構についての共線図である。
【発明を実施するための形態】
【００１７】
以下、この発明をより具体的に説明する。この発明は、潤滑油やロングライフクーラント（ＬＬＣと呼ばれることがある）などの流体によって潤滑必要箇所を潤滑あるいは冷却する装置に関するものである。したがって、この発明に係る潤滑装置は、基本的な構成として、潤滑油やＬＬＣなどの流体を掻き上げる第１の回転部材と、第１の回転部材の回転数が低回転数の場合に高回転数となる第２の回転部材と、第１の回転部材が掻き上げた流体および第２の回転部材が高回転数の場合にその第２の回転部材から飛散した流体が流入するキャッチタンクとを備えている。
【００１８】
また、この発明では、前述した第２の回転部材は、ステータとロータとを備えたモータを含み、そのロータの回転数が高回転数の場合に、ロータの軸線方向における少なくともいずれか一方の端部に、流体をキャッチタンクに流入させる流体供給手段が設けられている。その流体供給手段は、要は、ロータから飛散した流体がステータの端部に衝突したりすることを回避して、流体をキャッチタンクに流入させる、すなわち供給するためのものである。したがって、流体供給手段は、ロータの端部に設けられて、ロータに供給された流体をその内周側から外周側に向けて流動させるエンドプレートであってもよい。
【００１９】
さらに、この発明では、ロータに供給する流体の流動方向と、ロータからの流体の飛散の方向とが異なるようになっている。すなわち、モータへの流体の供給経路と、モータからキャッチタンクへ向けて飛散する流体の経路とが対向しないようになっている。
【００２０】
したがって、このような構成の潤滑装置においては、第１の回転部材が低回転数であり、第１の回転部材によって掻き上げられてキャッチタンクに供給される流体の量が少ない場合に、高回転数になる第２の回転部材から、すなわちモータから飛散した流体がキャッチタンクに供給される。言い換えれば、第１の回転部材からキャッチタンクに供給される流体の量が少なく、ケーシングにおける流体の液面高さが上昇する場合に、高回転数のモータの回転によって流体がキャッチタンクに供給される。そのため、ケーシングにおける流体の液面高さが上昇することを抑制することができる。これにより、第１の回転部材が低回転数の場合に、第１の回転部材の撹拌損失や動力損失が増大することを抑制もしくは低減することができる。また、第１の回転部材が低回転数の場合であっても、キャッチタンクに供給する液量を確保し、潤滑必要箇所に流体を供給して、潤滑あるいは冷却することができる。
【００２１】
また、ロータの端部に設けられた流体供給手段によって、具体的には、例えばロータの端部に設けられたエンドプレートによって流体が飛散させられてキャッチタンクに供給されるので、その飛散した流体がステータの端部に衝突して、流体のキャッチタンクへの供給が阻害されることを回避もしくは抑制することができる。したがって、いわゆる掻き上げ効率や掻き上げ性能を向上させることができる。さらにまた、モータから飛散した流体の経路と、モータに供給される流体の経路とが対向しないように構成されているので、これによっても、いわゆる掻き上げ効率や掻き上げ性能を向上させることができる。
【００２２】
つぎに、この発明を更に具体的に説明する。この発明で対象とする車両は、エンジンと電動機とを搭載したハイブリッド車両であり、そのエンジンは要は燃料を燃焼して機械的な動力を出力する熱機関であり、ガソリンエンジンやディーゼルエンジンあるいはガスを燃料としたガスエンジンなどがその例である。また、電動機は、電力が供給されて走行のためのトルクを出力するものであり、この発明では特にエンジンを始動する際に反力を受けるように配置されている。すなわち、エンジンが出力したトルクを駆動輪に対して出力する出力部材にその電動機が連結されている。
【００２３】
図４に、その一例を模式的に示してあり、ここに示す例は、いわゆるツーモータ式のハイブリッド装置を搭載した車両のハイブリッドトランスアクスルの例である。図４において、ハイブリッドトランスアクスル１は所定のケーシング２を有し、その底部に潤滑油を貯留するオイル溜め部が形成されている。そして、その内部でエンジン３の出力側に動力分配機構５が設けられている。動力分配機構５は、三つの回転要素によって差動作用をおこなうように構成されたいわゆる差動機構であり、それらの三つの回転要素は、歯車やローラである。図４に示す例では、遊星歯車機構によって動力分配機構５が構成されている。したがって動力分配機構５は、外歯歯車であるサンギア６と、そのサンギア６に対して同心円上に配置された内歯歯車であるリングギア７と、これらサンギア６およびリングギア７の間に配置されてこれらサンギア６とリングギア７とに噛み合っているピニオンギアを自転かつ公転できるように支持しているキャリア８とを回転要素として備えている。
【００２４】
エンジン３の出力軸４はクラッチ９を介してキャリア８に連結されており、またサンギア６には第１モータ・ジェネレータ（ＭＧ１）１０が連結されている。この第１モータ・ジェネレータ１０は、一例として永久磁石式の交流同期電動機であって、この第１モータ・ジェネレータ１０は、詳細は図示しないが、インバータを介して蓄電装置に接続されている。そして、第１モータ・ジェネレータ１０は、蓄電装置から電力が供給されることによりモータとして機能し、また強制的に回転させられることにより発電を行って蓄電装置に充電するように構成されている。なお、この第１モータ・ジェネレータ１０のロータ軸１１は中空軸１１であって、詳細は図示しないが、その内部をキャリヤ軸１２が回転自在に貫通している。このキャリヤ軸１２の一方の端部は前述したキャリア８に連結され、また他方の端部は、機械式オイルポンプ（Ｏ／Ｐ）１３に連結されている。機械式オイルポンプ１３は、前述したオイル溜め部に貯留された潤滑油を吸い上げて油圧を発生させ、またその圧油を各部に送油するように構成されており、その機械式オイルポンプ１３から中空軸１１の内部に潤滑油が供給されるようになっている。
【００２５】
さらに、出力部材であるリングギア７は、出力軸１４に連結されて一体化されている。その出力軸１４にカウンタギア１５が取り付けられており、そのカウンタギア１５にカウンタドリブンギア１６が噛み合っている。このカウンタドリブンギア１６は、前記キャリヤ軸１２と平行でかつ回転自在に配置されたカウンタ軸１７に取り付けられている。そのカウンタ軸１７には出力ギア１８が更に取り付けられており、その出力ギア１８は、デフリングギア１９に噛み合っている。このデフリングギア１９は、終減速機であるデファレンシャルギア２０のデフケース２１に一体化されたギアであり、したがってこのデファレンシャルギア２０から左右の駆動輪２２，２３に駆動トルクを伝達するように構成されている。また、ディファレンシャルギア２１は、前述した第１モータ・ジェネレータ１０の鉛直方向で下方に設けられており、言い換えれば、ハイブリッドトランスアクスル１の下方に設けられており、デフリングギア１９がオイル溜め部に貯留された潤滑油を掻き上げて前述した第１モータ・ジェネレータ１０に供給するようになっている。したがって、デフリングギア１９がこの発明における第１の回転部材に相当する。
【００２６】
さらに、出力軸１４にモータリダクション機構２４が連結されている。図４に示す例では、遊星歯車機構によってモータリダクション機構２４が構成されており、したがってモータリダクション機構２４は、外歯歯車であるサンギア２５と、そのサンギア２５に対して同心円上に配置された内歯歯車であるリングギア２６と、これらサンギア２５およびリングギア２６の間に配置されてこれらサンギア２５とリングギア２６とに噛み合っているピニオンギアを自転かつ公転できるように支持しているキャリヤ２７とを備えている。
【００２７】
前述した出力軸１４は、リングギア２６に連結されており、サンギア２５には、第２モータ・ジェネレータ２８が連結されている。また、キャリア２７はケーシング２などに固定されている。この第２モータ・ジェネレータ（ＭＧ２）２８は、前述した第１モータ・ジェネレータ１０と同様に、一例として永久磁石式の交流同期電動機によって構成され、インバータを介して前述した蓄電装置に接続されている。そして、第２モータ・ジェネレータ２８の出力トルクをリングギア２６およびカウンタギア１５ならびにカウンタドリブンギア１６そして出力ギア１８を介してデファレンシャルギア２０に伝達し、ここから左右の駆動輪２２，２３に駆動トルクを伝達するようになっている。なお、出力ギア１８に対してデフリングギア１９が大径であるから、第２モータ・ジェネレータ２８からデファレンシャルギア２０に到る歯車機構は減速機構を構成している。
【００２８】
図５に示す共線図は、シングルピニオン型の遊星歯車機構についての共線図であり、サンギア６およびリングギア７ならびにキャリア８を示す三本の直線が互いに平行に描かれ、サンギア６を示す線とリングギア７を示す線との間にキャリア８を示す線が配置され、そのサンギア６を示す線とキャリア８を示す線との間隔を「１」とし、キャリア８を示す線とリングギア７を示す線との間隔が遊星歯車機構のギア比に一致する間隔とされている。そして、それらの線と直交する基線より上側の長さが正回転方向の回転数を示し、下側の長さが負回転方向の回転数を示している。したがって、基線は回転数が「０」であることを示す線となっている。
【００２９】
例えば、エンジン３が所定回転数であることにより、リングギア７やデフリングギア１９の回転数が低回転数である場合における動力分配機構５の動作状態を図５に実線で示してある。
【００３０】
また、エンジン３が上述した所定回転数の場合に、第１モータ・ジェネレータ１０の回転数を低下させた場合における動力分配機構５の動作状態を図５に破断線で示してある。リングギア７やデフリングギア１９の回転数は、図５でのサンギア６を示す線における基線より上側の第１モータ・ジェネレータ１０の回転数の点、および、キャリア７を示す線における基線より上側のキャリア７およびこれに連結されたエンジン３の回転数の点を通る直線と、リングギア７を示す線との交点で表される回転数となる。したがって、第１モータ・ジェネレータ１０の回転数を高回転数にすると、リングギア７およびリングギア７に前述した伝動機構を介して連結されたデフリングギア１９の回転数を低回転数にすることができる。これとは反対に、第１モータ・ジェネレータ１０の回転数を低回転数にすると、リングギア７およびデフリングギア１９の回転数を高回転数にすることができる。この第１モータ・ジェネレータ１０が、この発明における第２の回転部材に相当する。
【００３１】
図１に、この発明に係る潤滑装置の一例を模式的に示してある。第１モータ・ジェネレータ１０は、従来知られている永久磁石式同期電動機と同様に、ロータ２９とその外周側にいわゆるエアギャップを空けて同心円状に配置されたステータ３０とを備えている。図１に示す例では、第１モータ・ジェネレータ１０のロータ軸１１は、その両端部に配置された軸受（図示せず）によって所定のケーシング２に回転自在に保持されている。ロータ軸１１の軸線方向でのほぼ中央部に、積層鋼板が回り止めした状態で嵌合させられてロータ２９が形成されている。これらの積層鋼板は、薄い環状板であり、ロータ軸１１に密着するように軸線方向に荷重を掛けて締め付けた状態で取り付けられている。
【００３２】
このロータ軸１１は、前述したように中空軸１１であって、そのロータ軸１１におけるロータ２９の両端部に近い箇所に油孔（図示せず）が形成されており、これらの部分が油路になっている。そして、図１に矢印Ａで示したように、前述した機械式オイルポンプ１３からロータ軸１１に潤滑油が供給されるようになっている。なお、潤滑油に換えてＬＬＣなどの冷却用流体を用いてもよい。この油路における潤滑油にロータ２９の回転によって遠心油圧が生じると、その遠心油圧によって油孔からロータ２９およびステータ３０に潤滑油が供給されるように構成されている。すなわち、潤滑油は、ロータ２９の軸線方向での端部において、図１に矢印Ｂで示したように、その内周側から外周側に向けて流動するようになっている。
【００３３】
ロータ２９の外周部に近い箇所には、永久磁石（図示せず）が嵌め込まれている。ステータ３０は、従来の永久磁石式同期電動機におけるステータ３０と同様に環状をなすものであって、前述したケーシング２に固定されており、詳細は図示しないが、複数の電磁コイルを備え、その電磁コイルに流す電流を変化させて磁界を変化させることにより、ロータ２９にトルクを生じさせるように構成されている。図１に示す例では、その電磁コイルの端部は、すなわちコイルエンド３１は、ロータ２９の軸線方向での端部よりも突出している。
【００３４】
また、ロータ２９よりも鉛直方向で上方、かつロータ２９の回転数が高回転数の場合に、ロータ２９から流出もしくは飛散させられた潤滑油をその内部に流入させることができる位置に、キャッチタンク３２が設けられている。このキャッチタンク３２は、ロータ２９がいわゆる掻き上げた潤滑油をその内部に流入させて、すなわち導入して一時的に貯留し、第１モータ・ジェネレータ１０や潤滑必要箇所に供給するためのものである。具体的に説明すると、キャッチタンク３２は、ロータ２９よりも鉛直方向で上方、かつロータ２９の一方の端部側に、ロータ２９から所定の距離を隔ててその少なくとも一部がケーシング２に固定されて設けられている。その所定の距離は、油孔からロータ２９に供給された潤滑油が、ロータ２９の回転にともなう遠心力によってその半径方向で外側に流出もしくは飛散させられ、その流出もしくは飛散させられた潤滑油をキャッチタンク３２の内部に導入することができる距離である。これは、使用する潤滑油や、ロータ２９の回転数に応じて予め実験などにより求めておくことができる。
【００３５】
また、図１に示すように、キャッチタンク３２は、ロータ２９に対向する面に、前述した流出もしくは飛散させられた潤滑油をその内部に流入させる流入孔３３が、すなわち開口部３３が形成されている。そして、詳細は図示しないが、キャッチタンク３２には、その内部に導入した潤滑油を第１モータ・ジェネレータ１０や潤滑必要箇所に供給するための供給孔が設けられている。この供給孔は、キャッチタンク３２の内部に導入した潤滑油を水頭圧によって第１モータ・ジェネレータ１０や潤滑必要箇所に向けて供給あるいは吐出するものであり、したがってキャッチタンク３２は、その内部に導入された潤滑油を供給孔から第１モータ・ジェネレータ１０や潤滑必要箇所に供給して、第１モータ・ジェネレータ１０や潤滑必要箇所を潤滑あるいは冷却するように構成されている。具体的には、キャッチタンク３２の供給孔から第１モータ・ジェネレータ１０に向けて供給される潤滑油は、図１に矢印Ａで示したように、第１モータ・ジェネレータ１０の鉛直方向で上方から、すなわちステータ３０の鉛直方向で上方から供給されるようになっている。
【００３６】
つぎに前述したように構成されたこの発明に係る潤滑装置の作用について説明する。デフリングギア１９が低回転数の場合に、第１モータ・ジェネレータ１０は、前述した図５に示したように、高回転数にされる。第１モータ・ジェネレータ１０は、その中空のロータ軸１１が油路とされており、この油路に、図１に矢印Ａで示したように、機械式オイルポンプ１３から潤滑油が供給される。そして、その油路における潤滑油は、第１モータ・ジェネレータ１０の回転によって生じる遠心油圧により油孔を通ってロータ２９およびステータ３０に供給される。遠心油圧は第１モータ・ジェネレータ１０の回転数に、すなわちロータ２９の回転数に応じて増減するから、第１モータ・ジェネレータ１０が高回転数にされると、その遠心油圧が増大して、油孔からロータ２９およびステータ３０に向けて流動する潤滑油量が増大する。
【００３７】
また、ロータ２９に供給された潤滑油は、図１に矢印Ｂで示したように、ロータ２９を潤滑あるいは冷却するとともに、そのロータ２９の回転によってロータ２９の半径方向で外側に流出もしくは飛散させられる。その流出もしくは飛散させられた潤滑油は、前述したキャッチタンク３２に捕捉され、すなわちキャッチタンク３２の流入孔３３からその内部に流入されて、その供給孔から第１モータ・ジェネレータ１０や潤滑必要箇所に供給される。このようにデフリングギヤ１９が低回転数であり、したがってその回転によりキャッチタンク３２に潤滑油を掻き上げられない、もしくはキャッチタンク３２に掻き上げる油量が少ないことにより、オイル溜め部の油面高さが上昇する場合に、第１モータ・ジェネレータ１０からキャッチタンク３２に潤滑油が供給される。
【００３８】
その結果、デフリングギア１９が低回転数の場合であっても、デフリングギア１９を浸漬する潤滑油の油面高さの上昇を抑制でき、デフリングギア１９の撹拌損失や動力損失が増大することを抑制もしくは低減することができる。また、第１モータ・ジェネレータ１０からすなわちロータ２９からキャッチタンク３２に潤滑油を供給できるので、デフリングギア１９が低回転数の場合であっても、潤滑油を第１モータ・ジェネレータ１０や潤滑必要箇所に供給して潤滑や冷却をおこなうことができる。
【００３９】
図２に、この発明に係る潤滑装置の他の例を模式的に示してある。ここに示す例は、ロータ２９の軸線方向での少なくとも一方の端部側に、図２に示す例では両端部側に、例えばエンドプレート３４，３５を設けた例である。このエンドプレート３４，３５は、ロータ２９を構成している積層鋼板に軸線方向の締め付け力を付与するものであり、詳細は図示しないが、ロータ軸１１に嵌合させられるように全体として環状に形成されている。このエンドプレート３４，３５には、その内周側から外周側に向けて流動させる油路が設けられている。そのため、この油路における潤滑油の遠心油圧により潤滑油が内周側から外周側に流動させられる。エンドプレート３４，３５には、不可避的に幅があり、その幅によってロータ２９の軸線方向における幅ｄ１がステータ３０におけるコイルエンド３１を含む幅ｄ２よりも広くなっている。
【００４０】
エンドプレート３４，３５は、ロータ２９の軸線方向における幅ｄ１を、ステータ３０のコイルエンド３１を含む幅ｄ２よりも広くして、ロータ２９と一体回転するエンドプレート３４，３５の回転によりその半径方向で外側に流出もしくは飛散させられた潤滑油が、コイルエンド３１に衝突することを回避してキャッチタンク３２に導入されるように構成されていればよい。したがって、エンドプレート３４，３５が、この発明における流体供給手段に相当する。また、流体供給手段は、要は、第１モータ・ジェネレータからの潤滑油の飛散が、コイルエンド３１などに阻害されずにキャッチタンクに流入されればよいので、前述したエンドプレート３４，３５に換えて、例えば絶縁材料によって形成された任意の幅を有する部材をロータ２９の軸線方向での少なくとも一方の端部に設けてもよい。また、ロータ２９の軸線方向における端面に、突部を設けることにより、その突部から飛散した潤滑油がキャッチタンクに流入されるように構成してもよい。
【００４１】
したがって、前述した構成では、機械式オイルポンプ１３から油路に供給された潤滑油は、ロータ２９の回転によって生じる遠心油圧によって油孔から流出する。そして図２に矢印Ｂで示したように、エンドプレート３４，３５におけるロータ２９に対向する面とは反対側の面、あるいはエンドプレート３４，３５における前述した油路を遠心力によって流動させられる。また、潤滑油はエンドプレート３４，３５の回転にともなう遠心力によって、その半径方向で外側に流出もしくは飛散させられる。また、エンドプレート３４，３５から流出もしくは飛散させられた潤滑油は、エンドプレート３４，３５の幅により、ステータ３０の端部、すなわちコイルエンド３１に衝突することが防止もしくは抑制される。つまり、ロータ２９の軸線方向での端部にエンドプレート３４，３５を設けることにより、エンドプレート３４，３５を含むロータ２９の幅ｄ１がステータ３０の幅ｄ２よりも広くなるので、エンドプレート３４，３５からの潤滑油の流出もしくは飛散が、ステータ３０あるいはステータ３０のコイルエンド３１によって阻害されることを防止もしくは抑制することができる。その結果、エンドプレート３４，３５から流出もしくは飛散させられた潤滑油がコイルエンド３１に衝突しないので、キャッチタンク３２に供給される潤滑油量を増大させることができる。すなわち、エンドプレート３４，３５がない場合に比較して、ロータ２９あるいはエンドプレート３４，３５による潤滑油のいわゆる掻き上げ効率を向上させることができる。
【００４２】
図３に、この発明に係る潤滑装置の更に他の例を模式的に示してある。ここに示す例は、キャッチタンク３２からステータ３０の上方に潤滑油が供給された場合に、その潤滑油が流動する方向を、ロータ２９およびステータ３０の軸線方向でキャッチタンク３２が設けられた端部側に比較して、これとは反対の端部側に多く流動するように構成した例である。具体的には、例えばステータ３０の外周面３６に、その軸線方向に対して傾斜した傾斜面あるいは油路が形成されており、キャッチタンク３２から供給された潤滑油が、そのキャッチタンク３２側の端部から反対側の端部に向けて流動するようになっている。
【００４３】
したがって、前述した構成では、キャッチタンク３２からステータ３０の外周面３６に供給された潤滑油は、図３に矢印Ａで示したように、ステータ３０のキャッチタンク３２側の端部から反対側の端部に向けて流動させられる。すなわち、ロータ２９およびステータ３０の軸線方向におけるキャッチタンク３２側の端部では、キャッチタンク３２から第１モータ・ジェネレータ１０に対する潤滑油の供給量が減少させられる。そして、反対側の端部では、キャッチタンク３２から第１モータ・ジェネレータ１０に対する潤滑油の供給量が増大させられる。その結果、ロータ２９あるいはエンドプレート３４，３５からの潤滑油の流出もしくは飛散の方向と、キャッチタンク３２からの潤滑油の流動方向とが対向することを回避もしくは抑制することができる。具体的には、ロータ２９およびステータ３０の軸線方向におけるキャッチタンク３２側の端部では、機械式オイルポンプ１３からロータ軸１１に供給され、ロータ２９の回転によってその半径方向で外側に流出もしくは飛散させられた潤滑油を、キャッチタンク３２に供給することができる。また、これとは反対側の端部では、キャッチタンク３２から供給された潤滑油をロータ軸１１側に供給することができる。このように、潤滑油の供給方向と掻き上げられた潤滑油の飛散の方向とを定めることにより、ロータ２９あるいはエンドプレート３４，３５による潤滑油の掻き上げ効率や掻き上げ性能を向上させることができる。
【００４４】
したがって、この発明に係る潤滑装置によれば、デフリングギア１９が低回転数の場合に、第１モータ・ジェネレータ１０が高回転数にされるので、そのロータ２９の回転により潤滑油をキャッチタンク３２に供給することができる。そしてこれにより、デフリングギア１９が潤滑油に浸漬されてその撹拌損失や動力損失が増大することを抑制もしくは低減することができる。また、ロータ２９にエンドプレート３４，３５が設けられているので、ロータ２９あるいはエンドプレート３４，３５の回転により流出もしくは飛散させられた潤滑油が、コイルエンド３１に衝突することを回避することができる。さらにまた、ステータ３０の外周面３６に、キャッチタンク３２側の端部からその反対側の端部に向けて潤滑油が流動するように傾斜面が形成されているので、掻き上げた潤滑油の流動方向とキャッチタンク３２から供給される潤滑油の流動方向とが対向することを回避でき、これにより掻き上げ効率や掻き上げ性能を向上させることができる。
【符号の説明】
【００４５】
１…ハイブリッドトランスアクスル、  １０…第１モータ・ジェネレータ、  １９…デフリングギア、  ２９…ロータ、  ３０…ステータ、  ３１…コイルエンド、  ３２…キャッチタンク、  ３４，３５…エンドプレート。
【図１】
0005463958.tif 000002
【図２】
0005463958.tif 000003
【図３】
0005463958.tif 000004
【図４】
0005463958.tif 000005
【図５】
0005463958.tif 000006